(57)【要約】【課題】スタンド上に固定支持可能な可搬性を有する電子音響機器を提供すること。【解決手段】可搬性のミキサーＭの底面部１５ａに雌ねじ１６ａを設け、スタンド２０の上端部に雌ねじ１６ａに螺合する雄ねじ２５ａを設けた。そして、雌ねじ１６ａと雄ねじ２５ａを螺合させることにより、ミキサーＭをスタンド２０に設置できるようにした。また、ミキサーＭの下面１４における一端から中央部を通る他端にかけて凹部１５を設け、この凹部１５に雌ねじ１６ａを設けた。さらに、ミキサーＭを、前部が低く後部が高くなるように構成し、ミキサーＭをベース台２６上に置くと、ミキサーＭの上面１１は、前部が低く後部が高くなり、ミキサーＭをスタンド２０に設置すると、ミキサーＭの上面１１は略水平になるようにした。【選択図】　図８
2004109544.tif 000002
【特許請求の範囲】
【請求項１】
多数の端子を有し、該端子に着脱自在に接続されたコードを介して、複数の電子機器と接続し、前記電子機器を制御する電子音響機器において、可搬性を有する程度の小型の電子音響機器であって、外部に前記コードを介して接続された前記電子機器を制御する多数の操作子を操作者対向面側に設け、該対向面側と反対の面にねじ穴を設け、該ねじ穴をスタンドの上端部に設けたねじに螺合させることにより、前記電子音響機器を前記スタンド上端部に固定支持可能としたことを特徴とする電子音響機器。
【請求項２】
前記機器本体の対向面側と反対の面における一端から中央部を通る他端にかけて凹部を設け、前記凹部に前記ねじ穴を設けた請求項１に記載の電子音響機器。
【請求項３】
前記電子音響機器を、前部が低く後部が高くなるように構成し、前記電子音響機器をベース台上に置くと、前記電子音響機器の上面は、前部が低く後部が高くなり、前記電子音響機器を前記スタンドに設置すると、前記電子音響機器の上面は略水平になるようにした請求項１または２に記載の電子音響機器。
【発明の詳細な説明】
【０００１】
【発明の属する技術分野】
本発明は、スタンド上に固定支持可能なミキサーやレコーダ等からなる電子音響機器に関する。
【０００２】
【従来の技術】
従来、オーディオ用のミキサーやレコーダのような電子音響機器は、机等のベース台の上に置いて使用していた（例えば、特許文献１参照）。
【０００３】
【特許文献１】
登録実用新案第３００９６９９号公報
【０００４】
【発明が解決しようとする課題】
電子音響機器を小型でかつ軽い材質のもので構成し、持ち運びができるようにした場合、この電子音響機器を支持するベース台等の支持部材も電子音響機器とともに、持ち運びができるものにすることが要求される。しかしながら、従来の電子音響機器が置かれた机等のベース台では、持ち運びが困難であるという問題がある。
【０００５】
【発明の概要】
本発明は、上記問題に対処するためになされたもので、その目的は、スタンド上に固定支持可能な可搬性を有する電子音響機器を提供することである。
【０００６】
上記の目的を達成するため、本発明にかかる電子音響機器の構成上の特徴は、多数の端子を有し、該端子に着脱自在に接続されたコードを介して、複数の電子機器と接続し、前記電子機器を制御する電子音響機器において、可搬性を有する程度の小型の電子音響機器であって、外部に前記コードを介して接続された前記電子機器を制御する多数の操作子を操作者対向面側に設け、該対向面側と反対の面にねじ穴を設け、該ねじ穴をスタンドの上端部に設けたねじに螺合させることにより、前記電子音響機器を前記スタンド上端部に固定支持可能としたことにある。
【０００７】
前記のように構成した本発明の電子音響機器においては、電子音響機器を可搬性にして、この電子音響機器の支持をスタンドによって行えるようにしている。このため、電子音響機器をスタンドとともに、任意の場所に運んで使用することができる。また電子音響機器の操作者対向面と反対の面にねじ穴を設けるとともに、スタンドの上端部に電子音響機器のねじ穴と螺合するねじを設け、ねじとねじ穴の螺合により、電子音響機器をスタンド上端部に設置できる構造にしているため、電子音響機器のスタンドへの着脱が簡単にできる。
【０００８】
この場合、スタンドとしては、マイク用のスタンドやカメラを設置するためのスタンド等を使用することができる。また、スタンドに取り付けられる電子音響機器の姿勢は、様々な態様にでき、操作者対向面は、電子音響機器のスタンドへの取り付け姿勢に応じて前部になったり、上面になったりする。
【０００９】
また、本発明にかかる電子音響機器の他の構成上の特徴は、機器本体の対向面側と反対の面における一端から中央部を通る他端にかけて凹部を設け、凹部にねじ穴を設けたことにある。これによると、機器本体の対向面側と反対の面に凹部が設けられているため、この凹部に手を当てることによって、電子音響機器を持ちやすくなり、持ち運びが容易になる。また、凹部を形成することによって、電子音響機器の強度が増す。
【００１０】
また、本発明にかかる電子音響機器のさらに他の構成上の特徴は、電子音響機器を、前部が低く後部が高くなるように構成し、電子音響機器をベース台上に置くと、電子音響機器の上面は、前部が低く後部が高くなり、電子音響機器をスタンドに設置すると、電子音響機器の上面は略水平になるようにしたことにある。
【００１１】
これによると、例えば、電子音響機器をベース台上に置き、操作者は、椅子に座った状態で、電子音響機器を操作する場合には、電子音響機器の上面は、前部が低く後部が高くなるため操作をし易くなる。また、電子音響機器をスタンドに設置した場合には、電子音響機器の上面は水平になるため、操作者は立った状態で、上から見下ろしながら無理のない姿勢で電子音響機器を操作することができる。このスタンドとしては、垂直スタンドが用いられ、これにより、電子音響機器は安定した姿勢で保持される。
【００１２】
この場合、機器本体の下面における前端部から後端部にかけて底面（天井面）が機器本体の上面と略平行になる凹部を設けることにより、スタンドに設置したときの電子音響機器の上面を略水平にすることができる。また、この凹部の略中央または凹部における電子音響機器の重心よりもやや後方にねじ穴を設けることが好ましい。さらに、凹部の底面が機器本体の上面と平行でない場合は、ねじ穴を斜めに設けることにより、スタンドに設置したときの電子音響機器の上面を略水平にすることができる。
【００１３】
【発明の実施の形態】
以下、本発明の一実施形態を図面を用いて説明する。図１ないし図４は、本発明にかかる電子音響機器であるオーディオ用のミキサーＭを示しており、図１は斜め上方から見た斜視面、図２は斜め下方から見た斜視面、図３は背面図、図４は図１の４−４断面図をそれぞれ表している。
【００１４】
ミキサーＭの外郭部を構成する機器本体１０は、樹脂材料で構成されており、平面視が方形状で、前部（図１の左下側部分）が低く、後部（図１の右上側部分）が高くなった箱状に形成されている。また、機器本体１０の上面１１には、前部が低く後部が高くなった段差が設けられて前部が操作子取付部１１ａに形成され、後部が端子取付部１１ｂに形成されている。そして、操作子取付部１１ａには、複数の操作子１２が所定間隔を保って取り付けられ、端子取付部１１ｂには、種類の異なる複数のコネクタ端子１３が所定間隔を保って取り付けられている。
【００１５】
機器本体１０の下面（底面）１４には、図２に示したように、左右方向の中央部に前端から後端にかけて凹部１５が設けられている。この凹部１５は、大人の腕が入る程度の幅に設定され、底面部１５ａ（図１の状態では凹部１５の天井部になる）が、機器本体１０の上面１１と平行に形成されている。したがって、凹部１５は前部が浅く、後部が深くなっている。そして、底面部１５ａにおける中央部よりもやや後部よりの部分（重心位置よりもやや後方の部分）には、内周面に、本発明のねじ穴である雌ねじ１６ａが形成された略リング状の取付部１６が取り付けられている。
【００１６】
この取付部１６は金属からなっており、図４および図５に示したように、外周面における中央に、フランジ状の突部１６ｂが形成されている。そして、この取付部１６は、アウトサート成形によって、凹部１５の底面部１５ａに外周面を固定された状態で取り付けられており、突部１６ｂによって底面部１５ａから抜け止めされている。また、取付部１６の下端部は、凹部１５の底面部１５ａから下方に僅かに突出している。
【００１７】
また、機器本体１０の下面１４における四隅の近傍にはそれぞれ円板状の支持突起１７が突設され、機器本体１０の下面１４と両側面１０ａ，１０ｂとの間には、後部が幅広になった三角形の傾斜面部１４ａ，１４ｂがそれぞれ設けられている。また、機器本体１０の背面には、図３に示したリアパネル１８が形成され、このリアパネル１８に、切り替えスイッチ１９およびコネクタ端子１３ａが取り付けられている。
【００１８】
図６は、ミキサーＭを支持するためのスタンド２０を示している。スタンド２０は、３本の脚２１ａと、その３本の脚２１ａを連結する連結部２１ｂとからなる三脚２１と、三脚２１から上方に延びるスタンド棒２２と、スタンド棒２２の上端部外周に取り付けられたパイプ状の回転部材２３と、回転部材２３の上端に取り付けられた締め付けリング２４とで構成されている。スタンド棒２２の下端部にはねじが設けられ、三脚２１の連結部２１ｂにはねじ穴が設けられており、そのねじとねじ穴の螺合によってスタンド棒２２と三脚２１が連結されている。また、スタンド棒２２の上部外周面には、図７に示すように、ねじ２２ａが形成されている。
【００１９】
そして、スタンド棒２２の上端面からは、ミキサーＭの取付部１６に設けられた雌ねじ１６ａと螺合できる本発明のねじである雄ねじ２５ａが外周面に設けられたジョイント部２５が上方に向って突出している。したがって、取付部１６の雌ねじ１６ａとジョイント部２５の雄ねじ２５ａを螺合させることにより、ミキサーＭをスタンド２０の上端に設置することができる。
【００２０】
また、回転部材２３および締め付けリング２４には、それぞれ、スタンド棒２２のねじ２２ａと螺合するねじ穴２３ａ，２４ａが形成されている。したがって、取付部１６の雌ねじ１６ａとジョイント部２５の雄ねじ２５ａを螺合させた状態で、スタンド棒２２に対して、回転部材２３と締め付けリング２４を回転させて上方に移動させることにより、ミキサーＭとスタンド２０の固定をより強固にすることができる。
【００２１】
このように構成されたミキサーＭは、各コネクタ端子１３を介して入力装置や出力装置に接続され、各操作子１２を操作することにより使用される。この場合、ミキサーＭは、図８に示したように、スタンド２０に設置して操作されるが、図９に示したように、ベース台２６上に置いて使用することもできる。まず、ミキサーＭをスタンド２０に設置して操作する場合は、三脚２１にスタンド棒２２を連結して、スタンド２０を床の上に立てる。ついで、スタンド２０の上端の雄ねじ２５ａにミキサーＭの雌ねじ１６ａを合わせて、ミキサーＭを回転する。
【００２２】
これによって、雄ねじ２５ａと雌ねじ１６ａとが螺合して、ミキサーＭがスタンド２０に取り付けられる。つぎに、締め付けリング２４を回転して、上方に移動させ、取付部１６の下端面に密着させる。この際、取付部１６が底面部１５ａから下方に突出しているため、指が底面部１５ａに当たって締め付けリング２４を回転させ難いといったことがなく、容易に締め付けリング２４の締め付けが行える。ついで、回転部材２３の胴部を握って回転し上方に移動させることにより、締め付けリング２４をさらに取付部１６に押し付ける。これによって、ミキサーＭは、より強固にスタンド２０に固定される。
【００２３】
そして、ミキサーＭのコネクタ端子１３，１３ａに各種のコード２７を接続する。これらのコード２７は、複数の電子機器、例えば、マイク、楽器、レコーダ等から延びており、これによって、ミキサーＭは、複数の電子機器と接続される。
【００２４】
この場合、スタンド２０に設置されたミキサーＭの上面１１は水平になる。このため、操作者は、起立した姿勢で、上からミキサーＭの上面１１を見下ろしながらミキサーＭを操作することができる。また、ミキサーＭの端子取付部１１ｂにおけるコネクタ端子１３には、多数のコード２７が接続されており、このコード２７がミキサーＭの後方に伸びるため、コード２７の重量がミキサーＭの後部にかかる。しかしながら、このミキサーＭにおけるスタンド２０の雄ねじ２５ａと螺合する雌ねじ１６ａを有する取付部１６が、機器本体１０の凹部１６における底面部１５ａの後部よりの部分に取り付けられているため、スタンド２０はバランスよく起立状態を維持できる。
【００２５】
すなわち、スタンド２０が、ミキサーＭのやや後部側を支持していることと、機器本体１０の底面１４よりも上方に位置する底面部１５ａを支持するため、ミキサーＭの重心が下方に位置するようになり、より安定した姿勢を維持することができる。このミキサーＭは、操作者が各操作子１２を操作することにより、各種楽器音、人の声などを電気信号に変換するマイク、電子楽器、電気楽器等の種々の音楽機器からオーディオ信号を入力して音量を調節したり、音質を変えたりする。そして、その信号を出力装置に出力する。
【００２６】
また、ミキサーＭを、ベース台２６上において操作する場合は、操作者は、椅子に座って、低い位置からミキサーＭの操作を行う。このとき、ミキサーＭの上面１１は、前部が後部よりも低い傾斜面になるため、操作者はミキサーＭの操作をし易くなる。また、ミキサーＭを搬送する場合には、図１０に示したように、ミキサーＭの下面１４に設けられた凹部１５内に手首２８の一部を入れ、ミキサーＭの後端部を手２８ａで持つことによって、簡単に持ち運ぶことができる。この場合、ミキサーＭの上下を逆にして、ミキサーＭの前端部を手２８ａで持つこともできる。
【００２７】
また、スタンド２０も、三脚２１の連結部２１ａからスタンド棒２２を取り外すことにより分解して、簡単に持ち運べるようになる。したがって、ミキサーＭとスタンド２０を、適宜任意の場所に運んで使用することができる。また、その場合のミキサーＭとスタンド２０の着脱も簡単に行える。
【００２８】
このように、本実施形態では、ミキサーＭを小型にするとともに、ミキサーＭの機器本体１０を樹脂材料で構成したため、軽量になり持ち運びが容易になる。また、機器本体１０の下面１４に凹部１５を設けたため、この凹部１５に手を当てることにより、さらに持ち運びが容易になる。さらに、このミキサーＭを支持するための支持部材を可搬性のスタンド２０で構成したため、ミキサーＭとともにスタンド２０も持ち運びができるようになる。したがって、ミキサーＭとスタンド２０を任意の場所に運んで使用することができる。
【００２９】
また、ミキサーＭのスタンド２０への設置が、取付部１６の雌ねじ１６ａとジョイント部２５の雄ねじ２５ａとを螺合させることにより行われるため、ミキサーＭのスタンド２０への着脱が簡単にできる。また、締め付けリング２４と回転部材２３の操作により、取付部１６とジョイント部２５の係合をより確実にすることができる。
【００３０】
この場合、取付部１６が、機器本体１０の底面部１５ａから突出しているため締め付けリング２４の締め付け操作がし易くなる。また、取付部１６が凹部１５内に設けられているため、物等に当たって破損することが防止されるとともに、ミキサーＭをスタンド２０に設置した場合のミキサーＭの重心が低い位置になり安定性が増す。
【００３１】
さらに、取付部１６が、凹部１５内における底面部１５ａの後部よりの部分に設けられているため、スタンド２０に設置したミキサーＭにコード２７を接続した場合の安定性がよくなる。また、取付部１６を底面部１５ａの後部よりに設けたことにより、操作者の足がスタンド２０の三脚２１から遠くなるため、操作者の足が三脚２１に接触して躓くことを防止でき安全である。さらに、スタンド２０を用いることによりベース台が不要になるためコストの低減も図れる。
【００３２】
前述した実施形態の構成については、適宜、変更実施が可能である。例えば、前記実施形態では、スタンド２０として、三脚２１とスタンド棒２２をねじで連結するものとしているが、このスタンドとしては、カメラを設置するためのスタンドのような三脚が開閉式になったものを使用することができる。また、それ以外の構成のものでも、上端にねじが設けられて、ミキサーＭを設置できるスタンドであればよい。
【００３３】
また、前記実施形態では、取付部１６を金属製のもので構成しているが、この取付部１６は、樹脂材料でもよく、その場合、機器本体１０を構成する樹脂材料よりも硬質の材料を用いる。さらに、前記実施形態では、凹部１５の底面部１５ａを機器本体１０の上面１１と平行にしているが、この底面部１５ａは機器本体１０の上面１１と平行にしなくてもよい。その場合、雌ねじ１６ａを斜めに形成して、スタンド２０に機器本体１０を設置した場合、機器本体１０の上面１１が略水平になるようにする。
【００３４】
また、前記実施形態では、電子音響機器をミキサーＭとしたが、本発明にかかる電子音響機器は、これに限らず、レコーダ等にも利用可能であり、特に、前部が後部よりも低くなった機器本体を備えた電子音響機器に対して良好な効果を奏する。
【図面の簡単な説明】
【図１】本発明にかかる電子音響機器の一実施形態が備えるミキサーの上面を示す斜視図である。
【図２】図１に示したミキサーの下面を示す斜視図である。
【図３】図１に示したミキサーの背面図である。
【図４】図１に示したミキサーの４−４断面図である。
【図５】取付部の拡大断面図である。
【図６】スタンドを示した斜視図である。
【図７】スタンドの要部を示す断面図である。
【図８】ミキサーをスタンドに設置した状態を示す側面図である。
【図９】ミキサーをベース台に載せた状態を示す側面図である。
【図１０】ミキサーを手で持った状態を示す側面図である。
【符号の説明】
１０…機器本体、１１…上面、１４…下面、１５…凹部、１５ａ…底面部、１６ａ…雌ねじ、１６…取付部、２０…スタンド、２５…ジョイント部、２５ａ…雄ねじ、２６…ベース台、Ｍ…ミキサー。
【図１】
2004109544.tif 000003
【図２】
2004109544.tif 000004
【図３】
2004109544.tif 000005
【図４】
2004109544.tif 000006
【図５】
2004109544.tif 000007
【図６】
2004109544.tif 000008
【図７】
2004109544.tif 000009
【図８】
2004109544.tif 000010
【図９】
2004109544.tif 000011
【図１０】
2004109544.tif 000012
【手続補正書】
【提出日】平成15年11月25日(2003.11.25)
【手続補正１】
【補正対象書類名】明細書
【補正対象項目名】特許請求の範囲
【補正方法】変更
【補正の内容】
【特許請求の範囲】
【請求項１】
多数の端子を有し、該端子に着脱自在に接続されたコードを介して、複数の電子機器と接続し、前記電子機器を制御する電子音響機器において、可搬性を有する程度の小型の電子音響機器であって、外部に前記コードを介して接続された前記電子機器を制御する多数の操作子を操作者対向面側に設け、該対向面側と反対の面にねじ穴を設け、該ねじ穴をスタンドの上端部に設けたねじに螺合させることにより、前記電子音響機器を前記スタンド上端部に固定支持可能としたことを特徴とする電子音響機器。
【請求項２】
前記機器本体の対向面側と反対の面における一端から中央部を通る他端にかけて凹部を設け、前記凹部に前記ねじ穴を設けた請求項１に記載の電子音響機器。
【請求項３】
多数の端子を有し、該端子に着脱自在に接続されたコードを介して、複数の電子機器と接続し、前記電子機器を制御する電子音響機器において、可搬性を有する程度の小型の電子音響機器であって、外部に前記コードを介して接続された前記電子機器を制御する多数の操作子を操作者対向面側に設け、該対向面側と反対面における一端から中央を通る他端にかけて凹部を設けたことを特徴とする電子音響機器。
【請求項４】前記電子音響機器を、前部が低く後部が高くなるように構成し、前記電子音響機器をベース台上に置くと、前記電子音響機器の上面は、前部が低く後部が高くなり、前記電子音響機器を前記スタンドに設置すると、前記電子音響機器の上面は略水平になるようにした請求項１または３のうちのいずれか一つに記載の電子音響機器。
【手続補正２】
【補正対象書類名】明細書
【補正対象項目名】００２４
【補正方法】変更
【補正の内容】
【００２４】
この場合、スタンド２０に設置されたミキサーＭの上面１１は水平になる。このため、操作者は、起立した姿勢で、上からミキサーＭの上面１１を見下ろしながらミキサーＭを操作することができる。また、ミキサーＭの端子取付部１１ｂにおけるコネクタ端子１３には、多数のコード２７が接続されており、このコード２７がミキサーＭの後方に伸びるため、コード２７の重量がミキサーＭの後部にかかる。しかしながら、このミキサーＭにおけるスタンド２０の雄ねじ２５ａと螺合する雌ねじ１６ａを有する取付部１６が、機器本体１０の凹部１５における底面部１５ａの後部よりの部分に取り付けられているため、スタンド２０はバランスよく起立状態を維持できる。


【手続補正３】
【補正対象書類名】明細書
【補正対象項目名】００２５
【補正方法】変更
【補正の内容】
【００２５】
すなわち、スタンド２０が、ミキサーＭのやや後部側を支持していることと、機器本体１０の下面１４よりも上方に位置する底面部１５ａを支持するため、ミキサーＭの重心が下方に位置するようになり、より安定した姿勢を維持することができる。このミキサーＭは、操作者が各操作子１２を操作することにより、各種楽器音、人の声などを電気信号に変換するマイク、電子楽器、電気楽器等の種々の音楽機器からオーディオ信号を入力して音量を調節したり、音質を変えたりする。そして、その信号を出力装置に出力する。


【手続補正４】
【補正対象書類名】明細書
【補正対象項目名】００２６
【補正方法】変更
【補正の内容】
【００２６】
また、ミキサーＭを、ベース台２６上において操作する場合は、操作者は、椅子に座って、低い位置からミキサーＭの操作を行う。このとき、ミキサーＭの上面１１は、前部が後部よりも低い傾斜面になるため、操作者はミキサーＭの操作をし易くなる。また、ミキサーＭを搬送する場合には、図１０に示したように、ミキサーＭの後端部を手２８ａで持つことによって、簡単に持ち運ぶことができる。この場合、ミキサーＭの上下を逆にして、ミキサーＭの前端部を手２８ａで持つこともできる。


【手続補正５】
【補正対象書類名】明細書
【補正対象項目名】００２７
【補正方法】変更
【補正の内容】
【００２７】
また、スタンド２０も、三脚２１の連結部２１ｂからスタンド棒２２を取り外すことにより分解して、簡単に持ち運べるようになる。したがって、ミキサーＭとスタンド２０を、適宜任意の場所に運んで使用することができる。また、その場合のミキサーＭとスタンド２０の着脱も簡単に行える。